(57)【要約】【課題】丸編み機で編成可能であり、装着した際に屈曲部の屈曲方向側にしわが生じにくい筒状編地を提供する。【解決手段】靴下（５０）の屈曲部（７０）は、ウェール数が減少している領域を含む第１膨出領域（２１）、および、ウェール数が増加している領域を含む第２膨出領域（２２）を有する膨出部（２０）と、ウェール数が増加している第１拡張領域（１１ｐ）、および、ウェール数が減少している第２拡張領域（１１ｑ）を有するエクステンド部（１１）と、を含む。エクステンド部（１１）は膨出部（２０）に対して屈曲方向側に位置し、第１拡張領域（１１ｐ）と第２拡張領域（１１ｑ）との境界部（１１０）の屈曲方向側の一端（１１０ａ）は靴下（５０）の幅方向の中心線上または当該中心線から所定の範囲内に位置している。【選択図】図１
2018059223.tif 000002
【特許請求の範囲】
【請求項１】
少なくとも１つの屈曲部を含む筒状編地であって、
前記屈曲部は、膨出部および拡張部を含み、
前記膨出部は、前記筒状編地の周方向の編目の数であるウェール数が、前記筒状編地の一端側から他端側に向けて減少している領域を含む第１膨出領域、および、前記第１膨出領域の前記他端側に位置し、前記一端側から前記他端側に向けて前記ウェール数が増加している領域を含む第２膨出領域、を有し、
前記第１膨出領域と前記第２膨出領域とは、前記拡張部に対して、前記筒状編地の屈曲方向とは反対側に位置し、
前記拡張部は、前記一端側から前記他端側に向けて前記ウェール数が増加している第１拡張領域、および、前記第１拡張領域の前記他端側に連続して位置し、前記一端側から前記他端側に向けて、前記第１拡張領域の前記他端側のウェール数から、ウェール数が減少している第２拡張領域、を有し、
前記拡張部は、前記膨出部に対して、前記屈曲方向側に位置し、
前記拡張部における、前記第１拡張領域と前記第２拡張領域との境界部の前記屈曲方向側の一端は、前記筒状編地を前記屈曲方向から見た場合、前記筒状編地を幅方向に略二等分する中心線上または当該中心線から所定の範囲内に位置することを特徴とする筒状編地。
【請求項２】
前記境界部の前記屈曲方向側の一端を含む前記拡張部の第１端部は、前記境界部の他端から前記境界部の前記屈曲方向側の一端に向むけて先細りとなる形状を有することを特徴とする請求項１に記載の筒状編地。
【請求項３】
前記境界部の他端を含む前記拡張部の第２端部は、前記境界部の前記屈曲方向側の一端から前記境界部の他端に向むけて先細りとなる形状を有することを特徴とする請求項２に記載の筒状編地。
【請求項４】
前記第１端部は、前記境界部の前記屈曲方向側の一端を中心とする中心角が、略９０°となることを特徴とする請求項２または３に記載の筒状編地。
【請求項５】
前記拡張部の最大ウェール数が、上記筒状編地の周囲のウェール数の２０％から３０％であり、
前記拡張部の最小ウェール数が、上記筒状編地の周囲のウェール数の４％から２０％であることを特徴とする請求項１から４のいずれか１項に記載の筒状編地。
【請求項６】
前記境界部の他端は、前記第１膨出領域と前記第２膨出領域との間に位置することを特徴とする請求項１から５のいずれか１項に記載の筒状編地。
【請求項７】
前記屈曲部は、複数の前記拡張部を含むことを特徴とする請求項１から６のいずれか１項に記載の筒状編地。
【請求項８】
複数の前記拡張部は、前記筒状編地の周囲方向に隣接して編成されていることを特徴とする請求項７に記載の筒状編地。
【請求項９】
複数の前記拡張部は前記筒状編地の他端側に隣接して編成されていることを特徴とする請求項７または８に記載の筒状編地。
【請求項１０】
請求項１から９のいずれか１項に記載の筒状編地を用いて編成されていることを特徴とする靴下。
【請求項１１】
少なくとも１つの屈曲部を含む筒状編地を、ピッカーを備える丸編み機により編成する筒状編地の編成方法であって、
前記筒状編地の一端側から他端側に向かって目減らし編みにより編成した領域を含む第１膨出領域を編成する第１膨出領域編成ステップと、
前記一端側から前記他端側に向かって目増し編みしたのち、連続して目減らし編みをすることにより拡張部を編成する拡張部編成ステップと、
前記一端側から前記他端側に向かって目増し編みにより編成した領域を含む第２膨出領域を、前記第１膨出領域の前記他端側に編成する第２膨出領域編成ステップと、を含み、
前記拡張部は、前記第１膨出領域および前記第２膨出領域に対して、屈曲方向側に位置し、
前記拡張部における、前記目増し編みと前記目減らし編みとの境界部の前記屈曲方向側の一端は、前記筒状編地を前記屈曲方向から見た場合、前記筒状編地を幅方向に略二等分する中心線上または当該中心線から所定の範囲内に位置することを特徴とする筒状編地の編成方法。
【発明の詳細な説明】
【技術分野】
【０００１】
本発明は、屈曲部の屈曲方向側にしわを生じにくい筒状編地に関する。
【背景技術】
【０００２】
人間の脚の形状と靴下の形状は異なっており、着用した際に、足首関節前方部分にしわが発生する。具体的には、直立姿勢では、人の脚は、足部（足首より下の部分）と下腿部（踝より上の部分）との成す角度はほぼ直角になる。したがって、足部を包囲する部分と下腿部を包囲する部分との成す角が９０°よりも大きい角度で靴下が編成された場合、靴下を着用し直立すると、靴下の足首関節前方部分の甲側の生地が余りしわができる。このしわができることにより、靴下の装着感が悪くなったり、美観が損なわれたりする。そこで、着用した際に足の形状にフィットし、足首関節前方部分にしわが発生しない靴下が求められている。
【０００３】
特許文献１には、特殊な編機を使用して編成した、ゴアラインの長短を調整し、身部と足部を所望の角度を付して屈曲させた靴下が記載されている。図１７の（ａ）、および図１７の（ｂ）は従来の靴下の一例である靴下１００を説明するための図である。図１７の（ａ）は靴下１００の右側面図、図１７の（ｂ）は靴下１００の展開図である。特許文献１に記載されている靴下は、例えば、図１７の（ａ）・（ｂ）に示すように、足の足底側の端部より足の甲側に位置する箇所から、足の甲側の端部である点Ｑ１まで、靴下１００のゴアライン１０１が伸びている。これにより、足部を包囲する部分と下腿部を包囲する部分との成す角度が直角に近い靴下を編成することができる。そのため、靴下が足の形状にフィットし、足首関節前方部分にしわが発生することを防止することができる。
【先行技術文献】
【特許文献】
【０００４】
【特許文献１】特開２００４−２０４３７８号公報（２００４年７月２２日公開）
【発明の概要】
【発明が解決しようとする課題】
【０００５】
しかしながら、上述のような従来技術は以下のような問題がある。すなわち、足部を包囲する部分と下腿部を包囲する部分との成す角度を直角に編成する場合、足の甲側の端部の目数を調整する必要がある。
【０００６】
靴下の生産には一般的に、ピッカーで針を上下させて筒状編地を編成する丸編み機が用いられている。靴下の踵部などは、一部の針を編成に用いないように針上げにより休止し、残りの針を編成に用いるようにして、シリンダを往復動させる往復回転編みにより編成する。当該丸編み機では、往復回転編みの針上げにピッカーを用いるため、ピッカーが入るスペースがシリンダの往復運動が制限される領域となるため、ゴアライン１０１の長さの調整には限度があり、ゴアライン１０１を点Ｑ１まで延長することができない。そのため、当該丸編み機では、ゴアライン１０１の長さの調整により足部を包囲する部分と下腿部を包囲する部分との成す角度が直角に近い靴下を編成することができない、という問題がある。
【０００７】
本発明は、前記の問題点に鑑みてなされたものであり、その目的は、ピッカーを備える丸編み機で編成可能であり、装着した際に屈曲部の屈曲方向側にしわが生じにくい筒状編地を実現することにある。
【課題を解決するための手段】
【０００８】
上記の課題を解決するために、本発明に係る筒状編地は、少なくとも１つの屈曲部を含む筒状編地であって、前記屈曲部は、膨出部および拡張部を含み、前記膨出部は、前記筒状編地の周方向の編目の数であるウェール数が、前記筒状編地の一端側から他端側に向けて減少している領域を含む第１膨出領域、および、前記第１膨出領域の前記他端側に位置し、前記一端側から前記他端側に向けて前記ウェール数が増加している領域を含む第２膨出領域、を有し、前記第１膨出領域と前記第２膨出領域とは、前記拡張部に対して、前記筒状編地の屈曲方向とは反対側に位置し、前記拡張部は、前記一端側から前記他端側に向けて前記ウェール数が増加している第１拡張領域、および、前記第１拡張領域の前記他端側に連続して位置し、前記一端側から前記他端側に向けて、前記第１拡張領域の前記他端側のウェール数から、ウェール数が減少している第２拡張領域、を有し、前記拡張部は、前記膨出部に対して、前記屈曲方向側に位置し、前記拡張部における、前記第１拡張領域と前記第２拡張領域との境界部の前記屈曲方向側の一端は、前記筒状編地を前記屈曲方向から見た場合、前記筒状編地を幅方向に略二等分する中心線上または当該中心線から所定の範囲内に位置する。
【０００９】
上記構成によれば、（１）筒状編地の一端側から他端側に向けてウェール数が増加している第１拡張領域、および、第１拡張領域の他端側に連続して位置し、一端側から他端側に向けてウェール数が減少している第２拡張領域を有する拡張部が、（２）一端側から他端側に向けてウェール数が減少している領域を含む第１膨出領域、および、第１膨出領域の他端側に位置し、一端側から他端側に向けてウェール数が増加している領域を含む第２膨出領域を有する膨出部に対して、屈曲方向側に配置されており、（３）拡張部における、第１拡張領域と第２拡張領域との境界部の屈曲方向側の一端は、筒状編地を屈曲方向から見た場合、筒状編地を幅方向に略二等分する中心線上または当該中心線から所定の範囲内に位置する。そのため、例えば、中心線からのウェール数が周囲の全ウェール数の１７％以下となる範囲が、中心線上または当該中心線から所定の範囲内である場合、拡張部により、筒状編地は、屈曲部における、膨出部よりも屈曲方向側においても、屈曲方向側と、屈曲方向とは反対側とでコース数の差を設けることができる。
【００１０】
その結果、通常の丸編み機で膨出部のみを編成したときと比較して、屈曲部において、屈曲方向側（谷折部側）の面積を、屈曲方向とは反対側（山折部側）の面積に比べて相対的に狭くすることができる。これにより、筒状編地を装着した際に屈曲部の屈曲方向側のしわを少なくすることができる。したがって、筒状編地の屈曲方向側のしわを少なくすることができる。
【００１１】
また、本発明に係る筒状編地は、前記境界部の前記屈曲方向側の一端を含む前記拡張部の第１端部は、前記境界部の他端から前記境界部の前記屈曲方向側の一端に向むけて先細りとなる形状を有することが好ましい。
【００１２】
上記構成によれば、筒状編地は、屈曲部における膨出部よりも屈曲方向側においても、屈曲方向側と屈曲方向とは反対側とでコース数の差を設けることができる。これにより、屈曲方向側の面積を屈曲方向とは反対側に比べて狭くすることができるので、筒状編地を装着した際に屈曲部の屈曲方向側のしわを少なくすることができる。
【００１３】
また、本発明に係る筒状編地は、前記境界部の他端を含む前記拡張部の第２端部は、前記境界部の前記屈曲方向側の一端から前記境界部の他端に向むけて先細りとなる形状を有することが好ましい。
【００１４】
上記構成によれば、拡張部を第１膨出領域および第２膨出領域の間に膨出することなく平面的に設けることが容易となる。
【００１５】
また、本発明に係る筒状編地は、前記第１端部は、前記境界部の前記屈曲方向側の一端を中心とする中心角が略９０°となることが好ましい。
【００１６】
上記構成によれば、足部を包囲する部分と下腿部を包囲する部分との成す角度が直角に近い靴下を編成することができる。これにより、足の形状にフィットした、足首関節前方部のしわを減少させることができる靴下を実現することができる。また、筒状編地の編成において目数を合すことができるので見た目が美しくなる。
【００１７】
また、本発明に係る筒状編地は、前記拡張部の最大ウェール数が、上記筒状編地の周囲のウェール数の２０％から３０％であり、前記拡張部の最小ウェール数が、上記筒状編地の周囲のウェール数の４％から２０％であることが好ましい。
【００１８】
上記構成によれば、拡張部を最適に編成することができる。
【００１９】
また、本発明に係る筒状編地は、前記境界部の他端は、前記第１膨出領域と前記第２膨出領域との間に位置することが好ましい。
【００２０】
上記構成によれば、境界部の屈曲方向側の一端と、膨出部における筒状編地の一端側の辺、および、筒状編地の他端側の辺を屈曲部の屈曲方向に延長したときの交点とが、ほぼ一致する。そのため、屈曲方向とは反対側の頂点と対称の位置である、筒状編地を装着した際にしわの発生しやすい屈曲方向側に拡張部が配置され、しわをより少なくすることができる。
【００２１】
また、本発明に係る筒状編地は、前記屈曲部は、複数の前記拡張部を含むことが好ましい。
【００２２】
上記構成によれば、複数の拡張部を任意に設定することにより筒状編地に挿入されるものの形状に添った筒状編地を編成することができる。
【００２３】
また、本発明に係る筒状編地は、複数の前記拡張部は、前記筒状編地の周囲方向に隣接して編成されることが好ましい。
【００２４】
上記構成によれば、筒状編地の周囲方向における複数の拡張部同士が隣接する位置が、上記中心線の近傍となる。これにより、複数の拡張部により、屈曲方向側の面積を屈曲方向とは反対側に比べて狭くすることができるので、筒状編地を装着した際に屈曲部の屈曲方向側のしわを少なくすることができる。
【００２５】
また、本発明に係る筒状編地は、複数の前記拡張部は前記筒状編地の他端側に隣接して編成されていることが好ましい。
【００２６】
上記構成によれば、複数の拡張部を筒状編地の他端側に隣接して編成した箇所の面積が広くなる。そのため、任意の箇所に拡張部を設けることで、筒状編地に挿入されるものの形状に添った筒状編地を編成することができる。
【００２７】
また、本発明に係る靴下は、前記筒状編地を用いて編成されることが好ましい。
【００２８】
上記構成によれば、膨出部に踵がフィットし、且つ、屈曲部の屈曲方向側において足首関節前方部のしわを減少させることができる靴下を実現することができる。
【００２９】
上記の課題を解決するために、本発明に係る筒状編地の編成方法は、少なくとも１つの屈曲部を含む筒状編地を、ピッカーを備える丸編み機により編成する筒状編地の編成方法であって、前記筒状編地の一端側から他端側に向かって目減らし編みにより編成した領域を含む第１膨出領域を編成する第１膨出領域編成ステップと、前記一端側から前記他端側に向かって目増し編みしたのち、連続して目減らし編みをすることにより拡張部を編成する拡張部編成ステップと、前記一端側から前記他端側に向かって目増し編みにより編成した領域を含む第２膨出領域を、前記第１膨出領域の前記他端側に編成する第２膨出領域編成ステップと、を含み、前記拡張部は、前記第１膨出領域および前記第２膨出領域に対して、屈曲方向側に位置し、前記拡張部における、目増し編みと目減らし編みとの境界部の前記屈曲方向側の一端は、前記筒状編地を前記屈曲方向から見た場合、前記筒状編地を幅方向に略二等分する中心線上または当該中心線から所定の範囲内に位置する。
【発明の効果】
【００３０】
本発明は、ピッカーを備える丸編み機で編成可能であり、装着した際に屈曲部の屈曲方向側にしわが生じにくい筒状編地を提供することができる。
【図面の簡単な説明】
【００３１】
【図１】（ａ）は本実施形態１に係る靴下の足背部側を示した説明図であり、（ｂ）は上記靴下の左側面図である。
【図２】（ａ）は上記靴下の展開図であり、（ｂ）は図１の（ｂ）のＡ−Ａ断面図である。
【図３】図２の展開図の各部分を説明した上記靴下の左側面図である。
【図４】（ａ）および（ｂ）は、膨出部の例を説明するための図である。
【図５】（ａ）および（ｂ）は、膨出部の他の例を説明するための図である。
【図６】（ａ）および（ｂ）は、膨出部のさらに他の例を説明するための図である。
【図７】（ａ）および（ｂ）は、図２の（ａ）の展開図の左側面の隣接関係を説明するための図である。
【図８】（ａ）および（ｂ）は、上記靴下の変形例１である。
【図９】（ａ）および（ｂ）は、上記靴下の変形例２である。
【図１０】（ａ）〜（ｃ）は、上記靴下の変形例３である。
【図１１】（ａ）〜（ｃ）は、上記靴下の変形例４である。
【図１２】（ａ）〜（ｃ）は、上記靴下の変形例５である。
【図１３】（ａ）は本実施形態２に係る靴下の左側面図であり、（ｂ）は上記靴下の右側面図であり、（ｃ）は上記靴下の展開図である。
【図１４】（ａ）は本実施形態３に係る靴下の左側面図であり、（ｂ）は上記靴下の右側面図であり、（ｃ）は上記靴下の展開図である。
【図１５】コース数とウェール数を説明する図である。
【図１６】（ａ）は下腿最小囲を説明するための図であり、（ｂ）はショートヒール囲を説明するための図である。
【図１７】（ａ）および（ｂ）は従来の靴下の一例を説明するための図である。
【発明を実施するための形態】
【００３２】
〔実施形態１〕
本発明の実施形態１について、図１〜図７を参照して説明する。なお、靴下５０は右足、および左足のどちらにも適応可能である。
【００３３】
（靴下５０の構成）
図１の（ａ）は本実施形態１に係る靴下５０の足背部側を示した説明図であり、図１の（ｂ）は靴下５０の左側面図である。言い換えると、図１の（ａ）は、靴下５０を屈曲方向から見た図である。図２の（ａ）は靴下５０の展開図であり、図２の（ｂ）は図１の（ｂ）のＡ−Ａ断面図である。図３は図２の（ａ）の展開図の各部分を説明した靴下５０の左側面図である。なお、図１の（ｂ）の矢印Ｂは、靴下５０の屈曲方向を示す。屈曲方向は後述する谷折部Ｐ１と山折部Ｐ２とを結ぶ線と略平行となる。
【００３４】
また、各実施形態の説明で用いられているウェール数とコース数について図１５に基づき予め説明する。図１５はコース数とウェール数を説明する図である。ウェール数とは、図１５に示すように、靴下５０の周方向に連続する編目数であり、言い換えると、靴下５０の周囲方向の編目数である。図１５に示す編地のウェール数は４目である。またコース数とは、靴下５０の長手方向に連続する編目数であり、言い換えると、靴下５０の一端から他端に向かう方向の編目数である。図１５に示す編地のコース数は３コースである。
【００３５】
靴下５０（筒状編地）は、ピッカーを備え、ピッカーで針を上下する丸編み機（以降通常の丸編み機と称する）で編成される筒状編地である。靴下５０の屈曲部７０は平編みで編成される。平編みで編成することにより、生地に大きな凹凸ができないので、生地の厚みが減る。これにより、生地の厚みや凹凸によるしわの発生を防ぐことができる。
【００３６】
靴下５０は、図１の（ａ）および図１の（ｂ）に示すように、爪先部３０、フート筒状部３１０、レッグ筒状部３２０、および、屈曲部７０を備えている。爪先部３０、フート筒状部３１０、屈曲部７０、およびレッグ筒状部３２０は、この順となるように一体に編成される。
【００３７】
爪先部３０は挿入された脚の爪先を覆う。爪先部３０はフート筒状部３１０に隣接して編成され、端部が袋状に編成されている。爪先部３０は、例えば、図２の（ａ）において、フート筒状部３１０のレッグ筒状部３２０とは反対側の端部を綴じ合わせることで編成することができる。なお、靴下５０は爪先部３０を有さないものであってもよい。また、説明を簡素化するために、図２以降の図については爪先部３０の図示を省略する。
【００３８】
フート筒状部３１０は挿入された脚の爪先および踝部以外の足部を覆う。フート筒状部３１０は一端が爪先部３０に隣接して編成され、他端が屈曲部７０に隣接して編成される。フート筒状部３１０は細長く中空の筒状編地である。
【００３９】
レッグ筒状部３２０は挿入された脚のうち下腿部を覆う。レッグ筒状部３２０は少なくとも一端に開口部３３を有し、他端は屈曲部７０に隣接して編成されている。ユーザは開口部３３より靴下５０に脚を挿入することができる。レッグ筒状部３２０は、細長く中空の筒状編地である。
【００４０】
（屈曲部）
屈曲部７０について説明する。以下の説明において、図１の（ａ）・（ｂ）、および図２の（ａ）・（ｂ）に示すように、足背部側から靴下５０を見たときの正面左を「右側」、正面右を「左側」、側面から靴下５０を見たときの足背部側を「甲側（谷折部側、屈曲方向側）」、足底側を「足底側（山折部側、屈曲方向とは反対側）」として説明する。
【００４１】
屈曲部７０は、図１の（ｂ）に示すように、フート筒状部３１０およびレッグ筒状部３２０の間に位置し、足首から踵を覆う。
【００４２】
屈曲部７０は、下記のラインＲ１とラインＲ２に囲まれた範囲である。ラインＲ１は、後述するエクステンド部１１の境界部の屈曲方向側の一端から、エクステンド部１１のレッグ筒状部３２０と接する端部の編目を同コース上に伸ばしたライン、および、エクステンド部１２の境界部の屈曲方向側の一端から、エクステンド部１２のレッグ筒状部３２０と接する端部の編目を同コース上に伸ばしたラインである。ラインＲ２は、エクステンド部１１の境界部の屈曲方向側の一端から、エクステンド部１１のフート筒状部３１０と接する端部の編目を同コース上に伸ばしたライン、および、エクステンド部１２の境界部の屈曲方向側の一端から、エクステンド部１２のフート筒状部３１０と接する端部の編目を同コース上に伸ばしたラインである。
【００４３】
屈曲部７０があることにより、レッグ筒状部３２０からフート筒状部３１０が屈曲方向に曲がり、フート筒状部３１０とレッグ筒状部３２０とがなす角度が屈曲角度θ１となる。靴下５０では、屈曲部７０の屈曲角度θ１は、９０°であることが望ましい。靴下５０を左側面から見た場合、屈曲部７０は、エクステンド部１１のエクステンド部１２側の頂点を中心とする略扇形となる。
【００４４】
屈曲部７０は、エクステンド部１１・１２および膨出部２０を備えている。
【００４５】
（膨出部）
膨出部２０は、靴下５０の周方向の編目の数であるウェール数が、靴下５０の一端側から他端側に向けて減少している領域を含む第１膨出領域２１、および、第１膨出領域２１の上記他端側に位置し、上記一端側から上記他端側に向けてウェール数が増加している領域を含む第２膨出領域２２を有する。
【００４６】
膨出部２０は踵を覆う。第１膨出領域２１と第２膨出領域２２とは、エクステンド部１１・１２に対して、屈曲方向とは反対側に位置する。
【００４７】
膨出部２０は目減らし編みおよび目増し編みにより編成される。
【００４８】
ここで、目減らし編みと目増し編みについて説明する。
【００４９】
靴下５０において、フート筒状部３１０およびレッグ筒状部３２０は、丸編み機を用いて全周編みにより筒状に編成される。それに対して、屈曲部７０は、全周編み、および、往復回転編みにより編成される。
【００５０】
往復回転編みは、例えば、靴下５０のレッグ筒状部３２０を編成する編針の一部の針をピッカーにより針上げして、編成に用いないように、休止し、残りの針を編成に用いるようにして、丸編み機のシリンダを往復動させて編地を編成する。
【００５１】
目減らし編みは、半回転編みのとき、シリンダの１行程毎に編成位置にある針を２本ずつ減じることで逐時編幅を減少した台形の編幅減少編地を編成する。
【００５２】
目増し編みは、半回転編みのとき、逆に往復動端部の針を２本ずつ増加させることで編幅を増加した台形の編幅増加編地を編成する。
【００５３】
（膨出部の種類）
膨出部２０は、その編成方法により、ノーマルヒール型、ラージヒール型、およびＹヒール型の種類があり、目的に応じてそれぞれ靴下５０に適応可能である。以下に、図４〜図６に基づき、膨出部２０の種類について説明する。図４の（ａ）・（ｂ）は、膨出部２０の例を説明するための図であり、図４の（ａ）はノーマルヒール型である膨出部２０ａを備える靴下６０の左側面図、図４の（ｂ）は膨出部２０ａを備える靴下６０の展開図である。図５の（ａ）・（ｂ）は、膨出部２０の他の例を説明するための図であり、図５の（ａ）はラージヒール型である膨出部２０ｂを備える靴下６１の左側面図、図５の（ｂ）は膨出部２０ｂを備える靴下６１の展開図である。図６の（ａ）・（ｂ）は、膨出部２０のさらに他の例を説明するための図であり、図６の（ａ）はＹヒール型である膨出部２０ｃを備える靴下６２の左側面図、図６の（ｂ）は膨出部２０ｃを備える靴下の展開図である。
【００５４】
（ノーマルヒール）
図４の（ａ）・（ｂ）に示すように、膨出部２０ａでは、膨出部２０ａの屈曲方向側の端部が、足底側もしくは甲側と足底側の境に位置する。膨出部２０ａでは、目減らし編みにより第１膨出領域２１ａが編成され、その後、目増し編みにより第２膨出領域２２ａが編成される。膨出部２０ａを用いることで、足底側の生地面積が、甲側の生地面積よりも増えるため、靴下６０を装着した際の谷折部側のしわを減少させることができる。
【００５５】
（ラージヒール）
図５の（ａ）・（ｂ）に示すように、膨出部２０ｂでは、膨出部２０ｂの屈曲方向側の端部が、甲側に位置する。そのため、膨出部２０ｂは膨出部２０ａと比べて、足底側の生地面積が増える。したがって、靴下６０は靴下６１に比べて、甲側の生地面積に対する足底側の生地面積の比率が大きくなり、靴下６１を装着した際の谷折部側のしわをより減少させることができる。
【００５６】
膨出部２０ｂでは、目減らし編みにより第１膨出領域２１ｂが編成され、その後、目増し編みにより第２膨出領域２２ｂが編成される。膨出部２０ｂは、１８０度以上の往復回転編みで編成される。
【００５７】
（Ｙヒール）
図６の（ａ）・（ｂ）に示すように、膨出部２０ｃは、第１膨出領域２１ｃおよび第２膨出領域２２ｃを備える。
【００５８】
第１膨出領域２１ｃは、（１）靴下６２の一端から他端に向けてウェール数が減少している領域、および、（２）上記一端から他端に向けてウェール数が減少している領域と第２膨出領域２２ｃとの間に上記一端から他端に向けてウェール数が増加している領域、を含む。言い換えると、目減らし編みのあと目増し編みをすることで第１膨出領域２１ｃが編成される。
【００５９】
また、第２膨出領域２２ｃは、（１）靴下６２の一端から他端に向けてウェール数が増加している領域、および、（２）上記一端から他端に向けてウェール数が増加している領域と第１膨出領域２１ｃとの間に、上記一端から他端に向けて減少している領域、を含む。言い換えると、目減らし編みのあと目増し編みをすることで第２膨出領域２２ｃが編成される。
【００６０】
第１膨出領域２１ｃの編成開始時のウェール数（第１膨出領域２１ｃの開口部３３側のウェール数）は、第１膨出領域２１ｃの編成終了時のウェール数（第１膨出領域２１ｃの爪先部３０側のウェール数）よりも多い。また、第２膨出領域２２ｃの編成終了時のウェール数（第２膨出領域２２ｃの爪先部３０側のウェール数）は第２膨出領域２２ｃの編成開始時のウェール数（第２膨出領域２２ｃの開口部３３側のウェール数）よりも多い。膨出部２０ｃは、膨出部２０ａと比べて、足底側の生地面積が増えるため、靴下６２は靴下６０に比べて、甲側の生地面積に対する足底側の生地面積の比率大きくなり、靴下６２を装着した際の谷折部側のしわをより減少させることができる。
【００６１】
図１の（ｂ）に示す、本実施形態の膨出部２０は、ラージヒール型とＹヒール型を組み合わせたものである。具体的には、膨出部２０は屈曲部７０の左右両側をまたぐように足底側に編成され、膨出部２０の屈曲方向側の端部が甲側に位置する。また、往復回転編みにより、目減らし編みの後、目増し編みをすることで第１膨出領域２１が編成され、その後さらに、目減らし編みの後、目増し編みをすることで第２膨出領域２２が編成される。目減らし編みと目増し編みは、連続していてもよく、連続していなくともよい。
【００６２】
（膨出部の設計）
針数が１４４本である通常の丸編み機で編成する場合の最適な目数の設定について図７の（ａ）・（ｂ）に基づき、下記に説明する。丸編み機の針数と筒状編地の周囲のウェール数は同一となる。なお、図７の（ａ）・（ｂ）のラインＬ１〜ラインＬ４はゴアラインである。
【００６３】
図７の（ａ）・（ｂ）に示す、ゴアラインのウェール数（ラインＬ１およびラインＬ２、または、ラインＬ３およびラインＬ４の合計ウェール数）が、丸編み機の針数の１５％〜２０％程度であることが望ましい。具体的には、針数が１４４である場合、ゴアラインのウェール数は、２５目であることが望ましい。
【００６４】
ゴアラインのウェール数が多すぎると踵を覆う面積が大きすぎて踵にフィットしない。ゴアラインのウェール数が少なすぎると踵を覆う面積が小さすぎて踵にフィットしない。なお、通常のラージヒール（エクステンド部１１・１２なし）の場合、片側における膨出部２０のゴアラインのウェール数は、丸編み機の針数の１８％程度である。具体的には、針数が１４４本である場合、通常のラージヒール型の靴下６１のゴアラインのウェール数は２５目前後である。
【００６５】
（エクステンド部）
エクステンド部１１（拡張部）は、図１の（ａ）・（ｂ）に示すように、靴下５０の一端側（開口部３３側）から他端側（爪先部３０）に向けてウェール数が増加している第１拡張領域１１ｐ、および、第１拡張領域１１ｐの上記他端側に連続して位置し、上記一端側から上記他端側に向けて、前記第１拡張領域１１ｐの前記他端側のウェール数から、ウェール数が減少している第２拡張領域１１ｑを有する。エクステンド部１１は、膨出部２０に対して、屈曲方向側に位置する。
【００６６】
また、エクステンド部１１における、第１拡張領域１１ｐと第２拡張領域１１ｑとの境界部１１０の屈曲方向側の一端１１０ａは、靴下５０を屈曲方向から見た場合において、靴下５０を幅方向に略二等分する中心線Ｓ上または当該中心線Ｓから所定の範囲内に位置する。ここで、中心線Ｓ上または当該中心線Ｓから所定の範囲内とは、中心線Ｓからのウェール数が、０から靴下５０の周囲のウェール数の１７％以下となる範囲である。具体的には、針数１４４本である丸編み機の場合、中心線Ｓからのウェール数が０〜２４目までの範囲に、一端１１０ａが位置することを意味する。中心線Ｓからのウェール数が０目となる位置とは、中心線Ｓ上を示す。上記範囲において、一端１１０ａが中心線Ｓに近づけば、左右の均衡がとれた優れた美観の靴下５０を編成することができる。上記範囲において、一端１１０ａが、中心線Ｓから遠ざかれば、屈曲する足首関節部分の径の膨らんだ箇所と、屈曲方向側の頂点とが合致した足の形状に沿った靴下５０を編成することができる。
【００６７】
第１拡張領域１１ｐは目増し編みで編成され、第２拡張領域１１ｑは目減らし編みで編成される。すなわち、境界部１１０は、目増し編みと目減らし編みとの切替部である。
【００６８】
エクステンド部１１とエクステンド部１２とは、靴下５０の周囲方向に、隣接して編成されている。具体的には、踝の後面が足底面に移行する境界において右側から左側に移行する点（図１の（ｂ）における山折部Ｐ２）、および下腿前面と足背の境界（図１の（ｂ）における谷折部Ｐ１）とを通る靴下５０の周囲上において、エクステンド部１１およびエクステンド部１２が隣接して編成されている。言い換えると、エクステンド部１１およびエクステンド部１２は、中心線Ｓ付近で隣接している。
【００６９】
また、エクステンド部１１は甲側の左側に位置し、エクステンド部１２は甲側の右側に位置する。エクステンド部１１およびエクステンド部１２は、全周編み部４１（図２の（ａ）参照）を介して、隣接するように編成されている。
【００７０】
また、エクステンド部１１・１２と膨出部２０とは、上記周囲において、谷折部Ｐ１を中心として略対称の位置にある。
【００７１】
エクステンド部１１とエクステンド部１２とは近傍のコース上に編成されることが望ましい。ここで近傍のコース上とは、例えば、隣り合うコース、または、全周編み部４０が有するコース分離れたコース同士を示す。
【００７２】
エクステンド部１１は、略六角形であり、まず目増し編みにより第１拡張領域１１ｐが編成され、その後目減らし編みにより第２拡張領域１１ｑが編成される。
【００７３】
第１拡張領域１１ｐおよび第２拡張領域１１ｑにおける各最大コース数は同じであることが望ましい。また、第１拡張領域１１ｐおよび第２拡張領域１１ｑにおける対応する各ウェール数も同じであることが望ましい。これにより、第１拡張領域１１ｐに続くレッグ部３２（図３参照）と、第２拡張領域１１ｑに続くフート部３１（図３参照）が、第１拡張領域１１ｐと第２拡張領域１１ｑの境界部１１０を挟んで対称的に屈曲した靴下５０を編成することができる。境界部１１０を挟んで対称的に屈曲することで、靴下５０はバランスのとれた美観となる。
【００７４】
また、エクステンド部１１の足底側の端部（境界部１１０の他端１１０ｂ）は、図１の（ｂ）に示すように、第１膨出領域２１と第２膨出領域２２との間に設けられている。
【００７５】
境界部１１０の一端１１０ａを含む第１端部１１０ｃは、境界部１１０の他端１１０ｂから境界部１１０の一端１１０ａに向むけて先細りとなる形状を有する。境界部１１０の他端１１０ｂを含む第２端部１１０ｄは、境界部１１０の一端１１０ａから境界部１１０の他端１１０ｂに向むけて先細りとなる形状を有する。境界部１１０の第１端部１１０ｃは境界部１１０の甲側の端部であり、第２端部１１０ｄは境界部１１０の足底側の端部である。これにより、エクステンド部１１、およびエクステンド部１２においても、屈曲方向側の面積が屈曲方向とは反対側に比べて相対的に狭くなるため、谷折部側の生地が余らず、靴下５０を装着した際の谷折部側のしわを減少させることができる。
【００７６】
第１端部１１０ｃは、境界部１１０の一端を中心とする中心角θ２が略９０°となることが望ましい。ここで、略９０°とは実質的に９０°であるとみなせる範囲であり、例えば、９０°〜１２０°である。これにより、屈曲部が９０°に屈曲し、足の形状に沿った、装着した際に屈曲部の屈曲方向側にしわが生じにくい靴下５０を編成することができる。
【００７７】
エクステンド部１２は、エクステンド部１１と同様に編成される。本実施形態において、エクステンド部１１およびエクステンド部１２の形状は同一であり、対応するウェール数および対応するコース数は同じである。すなわち、エクステンド部１１およびエクステンド部１２において、最大ウェール数および最大コース数は同じである。これにより、左右の各エクステンド部１１・１２の面積が同じとなるため、左右に曲がらない靴下５０を編成することができる。
【００７８】
また、エクステンド部１１およびエクステンド部１２は谷折部Ｐ１（図１の（ｂ）参照）で隣接する。これにより、バランスよく甲側の谷折部側の生地余りによるしわを防ぐことができる。
【００７９】
（エクステンド部の効果）
屈曲部７０において、屈曲方向側の面積を屈曲方向とは反対側に比べて相対的に狭くするとともに、屈曲方向側においても、屈曲方向側の面積を屈曲方向とは反対側に比べて相対的に狭くすることにより、靴下５０を装着した際に屈曲部７０の屈曲方向側のしわを少なくすることができる。
【００８０】
本実施形態に係る靴下５０は、屈曲部７０の足底側に膨出部２０を設け、甲側にエクステンド部１１・１２を設けている。そのため、膨出部２０により、屈曲部７０におけるエクステンド部１１・１２よりも屈曲方向とは反対側において、屈曲方向側の面積を屈曲方向とは反対側に比べて相対的に狭くすることができる。さらに、エクステンド部１１・１２により、屈曲部７０における膨出部２０よりも屈曲方向側においても、屈曲方向側の面積を屈曲方向とは反対側に比べて相対的に狭くすることができる。
【００８１】
言い換えると、靴下５０の左側に着目すると、ラインＲ１とラインＲ２に囲まれた範囲である屈曲部７０において、エクステンド部１１のエクステンド部１２側の頂点である谷折部Ｐ１におけるコース数Ｋ１（図示なし）と、エクステンド部１１の最大のコース数Ｋ３（図１の（ｂ）参照）とは、コース数Ｋ１＜コース数Ｋ３となる。なお、コース数Ｋ３は、山折部Ｐ２のコース数Ｋ２（足底側において右側から左側に移行する箇所の膨出部２０のコース数、図１の（ｂ）参照）よりも少ない。つまり、コース数Ｋ１＜コース数Ｋ３＜コース数Ｋ２となる。
【００８２】
また、目数の調整をした範囲（エクステンド部１１および膨出部２０）の屈曲方向側の頂点（一端１１０ａ）は、中心線Ｓ付近に及ぶ。以上により、フート筒状部３１０とレッグ筒状部３２０とのなす角度を直角に近くすることができる。
【００８３】
また、別の効果を、図１６の（ａ）・（ｂ）に基づき説明する。図１６の（ａ）は下腿最小囲Ｓ１を説明するための図であり、図１６の（ｂ）はショートヒール囲Ｓ２を説明するための図である。ショートヒール囲Ｓ２は踝の後面が足底面に移行する点、および下腿前面と足背の境界を通る足の周長である。図１６の（ａ）・（ｂ）に示すように、ショートヒール囲Ｓ２は踝等の膨らみにより、下腿最小囲Ｓ１よりも大きくなる。そのため、単純に山折部Ｐ２から谷折部Ｐ１へとコース数を減らしていくだけではなく、エクステンド部１１・１２分、左右両側面積を増やしつつ、山折部側と谷折部側との面積の差をつけることで、より足の形状にあった靴下５０を編成することができる。
【００８４】
（エクステンド部の設計）
針数１４４本である通常の丸編み機で編成する場合の最適な目数の設定について下記に説明する。
【００８５】
エクステンド部１１の両端部分（第１端部１１０ｃおよび第２端部１１０ｄ）のウェール数、すなわち増減するウェール数と、エクステンド部１１のコース数とは連動する。コース数が長いほど、谷折部Ｐ１から足底側に向けて、減少するウェール数を増やすことができる。したがって、減少するウェール数が多いほど、屈曲部７０における甲側の面積が、足底側の面積よりも相対的に狭くなるので、足首関節前方部分のしわを減らすことができる。ただし、エクステンド部１１のコース数が膨出部２０のコース数（第１膨出領域２１および第２膨出領域２２のコース数の合計）と同じになると屈曲部７０が屈曲しなくなる。そのため、エクステンド部１１のコース数は膨出部２０のコース数よりも少なくする必要がある。
【００８６】
エクステンド部１１のコース数は、靴下５０の周囲のウェール数の１７％程度であることが望ましい。具体的には、針数１４４本である丸編み機の場合、エクステンド部１１のコース数は、２８コースであることが望ましい。すなわち、第１拡張領域１１ｐのコース数が１４コースであり、第２拡張領域１１ｑのコース数が１４コースであることが望ましい。上記に限らず、第１拡張領域１１ｐのコース数が１０〜１８コースであってもよく、第１拡張領域１１ｐの最小コース数が２コース以上、最大コース数が３６コース以下となる範囲で設定することができる。
【００８７】
エクステンド部１１の最大ウェール数Ｗ２（図２の（ａ）参照）は、靴下５０の周囲のウェール数の２０％から３０％程度であることが望ましい。また、エクステンド部１１の最小ウェール数Ｗ１（図２の（ａ）参照）が、靴下５０の周囲のウェール数の４％から２０％程度であることが望ましい。具体的には、針数１４４本である丸編み機の場合、エクステンド部１１の最大ウェール数Ｗ２は２８〜４４の範囲で、最小ウェール数Ｗ１は６〜２８の範囲で設定することが望ましい。なお、よりバランスのとれたエクステンド部１１を編成するためには、エクステンド部１１の最大ウェール数Ｗ２は３６であり、最小ウェール数Ｗ１は２０であることが望ましい。
【００８８】
エクステンド部１１のウェール数が多すぎるとエクステンド部１１が大きくなりすぎて足にフィットしない。ウェール数が少なすぎるとフート筒状部３１０とレッグ筒状部３２０との角度が直角より大きくなり足にフィットしない。
【００８９】
なお、エクステンド部１２も同様に設定される。また、エクステンド部１１・１２は近傍のコース上に２つ以上設けられるものであってもよい。
【００９０】
（展開図）
図２の（ａ）、図３、および図７の（ａ）・（ｂ）に基づき、靴下５０の編成方法について以下に説明する。図７の（ａ）・（ｂ）は、図２の（ａ）の展開図において左側面の隣接関係を説明するための図である。
【００９１】
図２の（ａ）、図７の（ａ）・（ｂ）に示すように、靴下５０において、フート部３１およびレッグ部３２は、丸編み機を用いて全周編みにより編成され、第１膨出領域２１、第２膨出領域２２、エクステンド部１１、およびエクステンド部１２は往復回転編により編成される。また、展開図において、エクステンド部１１およびエクステンド部１２は第１膨出領域２１および第２膨出領域２２の間に編成されている。
【００９２】
図７の（ａ）に示されているラインＬ１〜Ｌ５は、同符号同士、全周編み部４０・４１・４２を介して綴じ合わせられる。図７の（ａ）に示されているラインＬ１〜Ｌ５は、図７の（ｂ）に示されている同符号の箇所に対応するものである。
【００９３】
図２の（ａ）および図７の（ａ）において、展開図上で隣接している部分は、連続して編成される。展開図上では離れているが、靴下５０で隣接している部分は、すくい接合で一体化される。すくい接合とは、ループとループを編みかけて一体とすることである。
【００９４】
例えば、図７の（ａ）における第１膨出領域２１のラインＬ１は、全周編み部４０と全周編み部４１とを介して、エクステンド部１１のラインＬ１と接合することで、第１膨出領域２１とエクステンド部１１とを一体として編成することができる。
【００９５】
このように、エクステンド部１１およびエクステンド部１２と膨出部２０とは、全周編み部４０・４１・４２を介して綴じ合わせられる。これにより、通常の丸編み機でエクステンド部１１・１２を編成することが可能となり、通常の丸編み機であっても、フート筒状部３１０とレッグ筒状部３２０とが直角に近い靴下を編成することができる。
【００９６】
なお、通常の丸編み機でなくても、エクステンド部１１・１２を設けることでフート筒状部３１０とレッグ筒状部３２０とが直角に近い靴下を編成することができる。その場合、エクステンド部１１およびエクステンド部１２と膨出部２０とは、全周編み部４０・４１・４２を介さずに綴じ合わせる。
【００９７】
（靴下５０の編成方法）
以下に、靴下５０の編成方法についてまとめておく。本発明に係る靴下５０の編成方法は、少なくとも１つの屈曲部７０を含む靴下５０を、ピッカーを備える丸編み機により編成する靴下５０の編成方法であって、靴下５０の一端側から他端側に向かって目減らし編みにより編成した領域を含む第１膨出領域２１を編成する第１膨出領域編成ステップと、上記一端側から上記他端側に向かって目増し編みしたのち、連続して目減らし編みをすることによりエクステンド部１１を編成する拡張部編成ステップと、上記一端側から上記他端側に向かって目増し編みにより編成した領域を含む第２膨出領域２２を、第１膨出領域２１の上記他端側に編成する第２膨出領域編成ステップと、を含み、エクステンド部１１は、第１膨出領域２１および第２膨出領域２２に対して、屈曲方向側に位置し、エクステンド部１１における、目増し編みと目減らし編みとの境界部１１０の屈曲方向側の一端は、靴下５０を屈曲方向から見た場合、靴下５０を幅方向に略二等分する中心線Ｓ上または当該中心線Ｓから所定の範囲内に位置する。
【００９８】
（変形例１）
実施形態１の変形例１について、図８の（ａ）・（ｂ）に基づき説明する。図８の（ａ）は実施形態１の変形例１である靴下５０ａの左側面図であり、図８の（ｂ）は、靴下５０ａの展開図である。靴下５０ａは、図８の（ａ）・（ｂ）に示すように、膨出部２０の開口部３３側（一端側）にエクステンド部１１・１２が設けられている。この場合、靴下５０を編成する際、第１膨出領域２１の編成と第２膨出領域２２の編成との間にエクステンド部１１・１２を編成しなくてもよい。そのため、必要に応じた編成順で筒状編地にエクステンド部１１・１２を編成することができる。
【００９９】
（変形例２）
実施形態１の変形例２について、図９の（ａ）・（ｂ）に基づき説明する。図９の（ａ）は実施形態１の変形例２である靴下５０ｂの左側面図であり、図９の（ｂ）は、靴下５０ｂの展開図である。靴下５０ｂは、図９の（ａ）・（ｂ）に示すように、膨出部２０の爪先部３０側（他端側）にエクステンド部１１・１２が設けられている。この場合、靴下５０を編成する際、第１膨出領域２１の編成と第２膨出領域２２の編成との間にエクステンド部１１・１２を編成しなくてもよい。そのため、必要に応じた編成順で筒状編地にエクステンド部１１・１２を編成することができる。
【０１００】
（変形例３）
実施形態１の変形例３について、図１０の（ａ）〜図１０の（ｃ）に基づき説明する。図１０の（ａ）は実施形態１の変形例３である靴下５０ｃの左側面図であり、図１０の（ｂ）は靴下５０ｃの右側面図であり、図１０の（ｃ）は、靴下５０ｃの展開図である。
【０１０１】
靴下５０ｃは、図１０の（ａ）〜図１０の（ｃ）に示すように、エクステンド部１１ｃとエクステンド部１２ｃが左側の甲側で隣接している。具体的には、エクステンド部１１ｃのエクステンド部１２ｃ側の端部は左側の甲側に位置し、エクステンド部１２ｃのエクステンド部１１ｃ側の端部も左側の甲側に位置する。
【０１０２】
エクステンド部１１ｃおよびエクステンド部１２ｃは、最大ウェール数が同じである。エクステンド部１１ｃおよびエクステンド部１２ｃの最大ウェール数はともに、実施形態１のエクステンド部１１およびエクステンド部１２の最大ウェール数よりも少ない。また、エクステンド部１２の膨出部２０側の端部は、膨出部２０に至らない。
【０１０３】
なお、エクステンド部１１ｃとエクステンド部１２ｃとは右側の甲側で隣接していてもよく、左右いずれかの甲側で隣接していればよい。
【０１０４】
靴下５０ｃでは、エクステンド部１１ｃとエクステンド部１２ｃとが隣接する部分が、屈曲方向側（谷折部側）の頂点となる。屈曲する足首関節部分の脚の形状は、腓骨の外果や距骨が位置する左側が右側よりも径が膨らんだ形状となっている。屈曲する足首関節部分の径の膨らんだ箇所と、屈曲方向側の頂点とを合致させることで、しわの発生を防ぐことができる。
【０１０５】
（変形例４）
実施形態１の変形例４について、図１１の（ａ）〜図１１の（ｃ）に基づき説明する。図１１の（ａ）は実施形態１の変形例４である靴下５０ｄの左側面図であり、図１１の（ｂ）は靴下５０ｄの右側面図であり、図１１の（ｃ）は、靴下５０ｄの展開図である。
【０１０６】
靴下５０ｄは、図１１の（ａ）・（ｂ）に示すように、エクステンド部１１ｄとエクステンド部１２ｄが左側の甲側で隣接している。具体的には、エクステンド部１１ｄのエクステンド部１２ｄ側の端部は左側の甲側に位置し、エクステンド部１２ｄのエクステンド部１１ｄ側の端部も左側の甲側に位置する。
【０１０７】
エクステンド部１２ｄの最大ウェール数は、エクステンド部１１ｄの最大ウェール数よりも多くなっていている。エクステンド部１１ｄの最大ウェール数は、実施形態１のエクステンド部１１の最大ウェール数よりも少ない。また、エクステンド部１２ｄの足底側の端部は、第１膨出領域２１と第２膨出領域２２との間に編成されている。
【０１０８】
なお、エクステンド部１１ｄとエクステンド部１２ｄが右側の甲側で隣接していてもよく、左右いずれかの甲側で隣接していればよい。
【０１０９】
靴下５０ｄでは、エクステンド部１１ｄとエクステンド部１２ｄが隣接する部分が、屈曲方向側（谷折部側）の頂点となる。屈曲する足首関節部分の脚の形状は、腓骨の外果や距骨が位置する左側が右側よりも径が膨らんだ形状となっている。屈曲する足首関節部分の径の膨らんだ箇所と、屈曲方向側の頂点とを合致させることで、しわの発生を防ぐことができる。また、各エクステンド部の最大ウェール数を調整することで、脚の形状に添った靴下５０ｄを編成することができる。
【０１１０】
（変形例５）
実施形態１の変形例５について、図１２の（ａ）〜（ｃ）に基づき説明する。図１２の（ａ）は実施形態１の変形例５である靴下５０ｅの左側面図であり、図１２の（ｂ）は靴下５０ｅの右側面図であり、図１２の（ｃ）は、靴下５０ｅの展開図である。
【０１１１】
靴下５０ｅは、図１２の（ａ）・（ｂ）に示すように、エクステンド部１１ｅとエクステンド部１２ｅの最大コース数が異なる。本変形例では、エクステンド部１１ｅの最大コース数の方がエクステンド部１２ｅの最大コース数よりも多い。
【０１１２】
靴下５０ｅにおいてエクステンド部のコース数の多い方が、面積が広くなる。靴下５０ｅは面積が狭い方に曲がる。そのため、例えば、エクステンド部１１ｅ・１２ｅが靴下５０ｅの周囲方向に隣接する場合、エクステンド部１１ｅ・１２ｅのコース数を調整することで、エクステンド部１１ｅ・１２ｅの隣接位置による靴下５０ｅの左右の曲げの調整を容易にすることができる。
【０１１３】
〔実施形態２〕
実施形態２について、図１３の（ａ）〜図１３の（ｃ）に基づき説明する。図１３の（ａ）は本実施形態２に係る靴下５１の左側面図であり、図１３の（ｂ）は靴下５１の右側面図であり、図１３の（ｃ）は靴下５１の展開図である。靴下５１は、１つのエクステンド部１１１だけが設けられている。本実施形態では、エクステンド部１１１の足底側の端部は、第１膨出領域２１および第２膨出領域２２の間に位置していないが、エクステンド部１１１の足底側の端部が、第１膨出領域２１および第２膨出領域２２の間に位置するものであってもよい。
【０１１４】
靴下５１にエクステンド部が１つだけ設けられている場合は、エクステンド部が設けられていない方に曲がる。これにより、右足または左足の曲り方に合わせてエクステンド部１１１を設けることで、右足および左足の形に添った靴下を編成することができる。
【０１１５】
〔実施形態３〕
実施形態３について、図１４の（ａ）〜図１４の（ｃ）に基づき説明する。図１４の（ａ）は本実施形態３に係る靴下５２の左側面図であり、図１４の（ｂ）は靴下５２の右側面図であり、図１４の（ｃ）は靴下５２の展開図である。
【０１１６】
靴下５２は、エクステンド部２１１およびエクステンド部２１２が同ウェール上に編成されている。つまり、エクステンド部２１２はエクステンド部２１１の他端側に隣接して編成されている。
【０１１７】
なお、実施形態２に実施形態３を組わせてもよい。具体的には、例えば、右側にエクステンド部１１１を１つ設け、左側にエクステンド部２１１およびエクステンド部２１２を設けるものであってもよい。
【０１１８】
なお、本発明において靴下であることは必須でない。本発明は、例えば、膝サポータや肘サポータなどの関節用サポータであってもよい。本発明は、特に、９０度に曲げた状態で着用し続けるウェアーに使用するのが望まれる。例えば、ランニング用アームスリーブ、ランニング用膝サポータ等に最適に適応できる。関節用サポータの場合は、屈曲部７０が関節を被覆する。また、屈曲部７０は少なくとも１つあればよく、用途により複数の屈曲部７０を備えていてもよい。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１２０】
１１、１１ｃ、１１ｄ、１１ｅ、１２、１２ｃ、１２ｄ、１２ｅ、１１１、２１１、２１２  エクステンド部（拡張部）
１１ｐ  第１拡張領域
１１ｑ  第２拡張領域
２０、２０ａ、２０ｂ、２０ｃ  膨出部
２１、２１ａ、２１ｂ、２１ｃ  第１膨出領域
２２、２２ａ、２２ｂ、２２ｃ  第２膨出領域
３０  爪先部
３３  開口部
５０、５０ａ、５０ｂ、５０ｃ、５０ｄ、５０ｅ、５１、５２、６０、６１、６２  靴下
７０  屈曲部
１１０  境界部
１１０ｃ  第１端部
１１０ｄ  第２端部
θ１  屈曲角度
θ２  中心角
Ｓ  中心線
【図１】
2018059223.tif 000003
【図２】
2018059223.tif 000004
【図３】
2018059223.tif 000005
【図４】
2018059223.tif 000006
【図５】
2018059223.tif 000007
【図６】
2018059223.tif 000008
【図７】
2018059223.tif 000009
【図８】
2018059223.tif 000010
【図９】
2018059223.tif 000011
【図１０】
2018059223.tif 000012
【図１１】
2018059223.tif 000013
【図１２】
2018059223.tif 000014
【図１３】
2018059223.tif 000015
【図１４】
2018059223.tif 000016
【図１５】
2018059223.tif 000017
【図１６】
2018059223.tif 000018
【図１７】
2018059223.tif 000019